(57)【要約】【課題】照明機能と扇風機機能を一体化して、従来に比べてインテリア的要素を高めることができるとともに、室内を照らす照明としての照明機能の優れた照明装置を提供する。  【解決手段】照明装置１は、天井に取り付け可能とされ、回転駆動装置を収容した筐体２と、この筐体２内の回転駆動機構に接続され、回転可能とされた複数の羽根３を具備している。羽根３は、例えば光透過性を有する樹脂等から略長方形状に形成されている。羽根３の長手方向に沿って上側端部３ａに、複数の発光ダイオード４が設けられている。  羽根３の上面側には、上記発光ダイオード４から羽根３内に導入された光を下方に向けて反射する反射機構としての凹部５が複数形成されている。【選択図】  図１
2007141734.tif 000002
【特許請求の範囲】
【請求項１】
回転駆動機構を有し、天井側に取り付けられる筐体と；
前記回転駆動機構により回転可能とされ、当該回転方向に対して、一方側の端部が上側に、他方側の端部が下側に位置するよう傾きを持って配置され、光透過性を有する複数の羽根と；
羽根の前記上側の端部から、当該羽根の内部に光を放射する発光ダイオードと；
前記羽根に設けられ前記発光ダイオードから前記羽根の内部に導入された光を下方に向けて反射する反射手段と；
を具備することを特徴とする照明装置。
【請求項２】
前記反射手段が、前記羽根の上面に形成された断面形状が三角形状の凹部から構成され、光を下方に向けて反射する前記凹部の反射面と、前記羽根の上面とのなす角度が３０〜４０度であることを特徴とする請求項１記載の照明装置。
【請求項３】
前記凹部が１つの前記羽根に複数形成されていることを特徴とする請求項２記載の照明装置。
【請求項４】
前記発光ダイオードが、前記羽根の上側の前記端部に複数配設されていることを特徴とする請求項１〜３いずれか１項記載の照明装置。
【発明の詳細な説明】
【技術分野】
【０００１】
本発明は、発光ダイオード（ＬＥＤ（Light Emitting Diode））による照明装置に関する。
【背景技術】
【０００２】
従来から、室内の天井に取り付けられ、室内の空気を循環させる天井扇風機が用いられている。このような天井扇風機によれば、例えばエアコン等により加温又は冷却された空気を室内において均一化し、これにより、冷暖房の際の効率向上を図ることができる。
【０００３】
また、近年では、室内の装飾性等を考慮して、扇風機本体の底部にシャンデリア等の照明器具を吊り下げるかたちで天井に配置できるようにしたタイプの天井扇風機付照明器具も提案されている（例えば、特許文献１参照。）。この種の照明器具は、インテリア的な要素が強いため、部屋の中でも比較的目立つ例えば室内の中央部の天井等に多くの場合取り付けられている。
【０００４】
さらに、照明器具ではないが、通常の床置き型の扇風機のプロペラブレードに発光ダイオード光源を設け、光の残像軌跡で描かれた円によるサイン効果を持たせたものも提案されている（例えば、特許文献２参照。）。
【特許文献１】特開平１０−３０６７９２号公報
【特許文献２】特開平５−２９６１８８号公報
【発明の開示】
【発明が解決しようとする課題】
【０００５】
上記のように、従来から、天井扇風機付照明器具は知られているが、これは単に天井扇風機の下側に照明器具を吊り下げた構造のものであり、これらを単に組み合わせたものに過ぎない。また、扇風機のプロペラブレードに発光ダイオード光源を設けた床置き型の扇風機は、単に光の残像軌跡で描かれた円によるサイン効果を直接見て楽しむものであり、室内を明るくする照明として利用するものではない。
【０００６】
本発明は、照明機能と扇風機機能を一体化して、従来に比べてインテリア的要素を高めることができるとともに、室内を照らす照明としての照明機能の優れた照明装置を提供しようとするものである。
【課題を解決するための手段】
【０００７】
請求項１記載の照明装置は、回転駆動機構を有し、天井側に取り付けられる筐体と；  前記回転駆動機構により回転可能とされ、当該回転方向に対して、一方側の端部が上側に、他方側の端部が下側に位置するよう傾きを持って配置され、光透過性を有する複数の羽根と；羽根の前記上側の端部から、当該羽根の内部に光を放射する発光ダイオードと；前記羽根に設けられ前記発光ダイオードから前記羽根の内部に導入された光を下方に向けて反射する反射手段と；を具備することを特徴とする。
【０００８】
上記の発光ダイオードとしては、例えば、基板に実装された発光ダイオードチップや砲弾形の発光ダイオード等どのようなタイプのものでも使用することができる。
【０００９】
請求項２記載の照明装置は、請求項１記載の照明装置において、前記反射手段が、前記羽根の上面に形成された断面形状が三角形状の凹部から構成され、光を下方に向けて反射する前記凹部の反射面と、前記羽根の上面とのなす角度が３０〜４０度であることを特徴とする。
【００１０】
通常の導光板等では、上記のような反射面と羽根の上面とのなす角度（θ）は、４５度に設定することが多い。しかしながら、角度θを４５度として、実際に照度を測定したところ、照度分布に照明装置の真下が暗くなる中抜け現象やこの発光面が回転することによるちらつき現象が生じた。このような中抜け現象や、ちらつき現象は、在室者に不快感を与えるため好ましくない。これに対して、角度θを３５度に設定した照明装置で、実際に照度を測定したところ、上記のような中抜け現象が緩和され、ちらつき現象も抑制され、より均一化した照度分布を得ることができた。上記のように、角度θを４５度とすると中抜け現象等が生じるのは、羽根が例えば２０度程度傾いて配置されているためである。このため、角度θは４５度より少ない角度、具体的には４０度以下とすることが好ましい。一方、角度θを少なくし過ぎると、反射面で反射された光の羽根の下面への入射角が浅くなり、ここで反射されてしまい羽根の下面から外部へ導出される光量が少なくなってしまう。このため角度θは３０度以上とすることが好ましい。以上の理由により、角度θは、３０〜４０度の範囲とすることが好ましい。
【００１１】
請求項３記載の照明装置は、請求項２記載の照明装置において、前記凹部が１つの前記羽根に複数形成されていることを特徴とする。
【００１２】
請求項４記載の照明装置は、請求項１〜３記載の照明装置において、前記発光ダイオードが、前記羽根の上側の前記端部に複数配設されていることを特徴とする。
【発明の効果】
【００１３】
請求項１〜４記載の発明によれば、照明機能と扇風機機能を一体化して、従来に比べてインテリア的要素を高めることができる。さらに、羽根に導入された光がほぼ均等になるので羽根の回転の速度によらず均一に照明することができる。
【００１４】
また、請求項２記載の発明によれば、照度分布に照明装置の真下が暗くなる中抜け現象やこの発光面が回転することによるちらつき現象が生じることがなく、より均一化した照度分布を得ることができる。
【００１５】
また、請求項３記載の発明によれば、複数の凹部によって、光を分散させて羽根の輝度を均一化することができる。
【００１６】
また、請求項４記載の発明によれば、複数の発光ダイオードにより、所望の照度を得ることができるとともに、羽根の輝度を均一化することができる。
【発明を実施するための最良の形態】
【００１７】
以下図面を参照しながら、本発明の実施形態について説明する。図１は、本発明の一実施形態に係る照明装置の構成を示す斜視図である。同図に示すように、照明装置１は、天井に取り付け可能とされ、回転駆動装置を収容した筐体２と、この筐体２内の回転駆動機構に接続され、回転可能とされた複数（図１では４枚）の羽根３を具備している。
【００１８】
これらの羽根３は、光透過性材料、例えば光透過性を有する樹脂等から構成され、略長方形状に形成されている。そして、図２にも示すように、羽根３の長手方向に沿って一方の端部３ａに、複数の発光ダイオード４が設けられている。図３に示すように、羽根３は、その回転方向において、天井面（水平面）と所定の角度（例えば２０度）をなすように配置されており、それによって回転時に下側若しくは上側に向かった気流を生じさせるようになっている。
【００１９】
すなわち、羽根３は、回転方向に沿って一方の端部３ａ（図３の左側の端部）が上側、他方の端部３ｂが下側に位置するように配置されている。そして、発光ダイオード４は、これらの端部のうち、上側の端部３ａに沿って所定ピッチで複数個配置されており、ここから斜め下側に向かって配置されている羽根３内に光を導入するよう構成されている。
【００２０】
羽根３の上面側には、上記発光ダイオード４から羽根３内に導入された光を下方に向けて反射する反射機構としての凹部５が複数形成されている。これらの凹部５は、図３及び図４に示すように、断面形状が略三角形状とされており、発光ダイオード４側の面が反射面５ａとされている。そして、図３に矢印で示すように、この反射面５ａにより、発光ダイオード４から羽根３内に導入された光を下方に向けて反射する。この下方に向けて反射された光が羽根３の下面から室内に導出され、室内を照らす照明光として利用される。すなわち、羽根３は導光板として作用する。
【００２１】
ところで、羽根３は、上記のように所定角度傾いて配置されている。そして、本実施形態では、図３に示されるように、発光ダイオード４を、羽根３の上側の端部３ａに配置している。これによって、羽根３から下方に向けて効率良く光を導出することができる。すなわち、このように、羽根３の上側の端部３ａに発光ダイオード４を配置すれば、羽根３の傾き方向に沿って下向きに光を導入することになり、下側の端部３ｂから上向きに光を導入した場合に比べて、下方に向けて効率良く光を導出することができる。
【００２２】
また、上記凹部５の反射面５ａは、羽根４の上面とのなす角度θ（図４に示す。）を３０〜４０度とすることが好ましく、本実施形態では３５度となるように構成されている。これは以下のような理由による。
【００２３】
すなわち、通常の導光板等では、上記のような反射面の角度θは、４５度に設定することが多い。しかしながら、角度θを４５度として、実際に照度を測定したところ、図５（ａ）に示すように、照度分布に照明装置の真下が暗くなる中抜け現象やこの発光面が回転することによるちらつき現象が生じた。このような中抜け現象や、ちらつき現象は、在室者に不快感を与えるため好ましくない。これに対して、反射面の角度θを３５度に設定した照明装置１で、実際に照度を測定したところ、図５（ｂ）に示すように、上記のような中抜け現象が緩和され、ちらつき現象も抑制され、より均一化した照度分布を得ることができた。
【００２４】
上記のように、凹部５の反射面５ａの角度θを４５度とすると中抜け現象等が生じるのは、羽根３が例えば２０度程度傾いて配置されているためである。このため、角度θは４５度より少ない角度、具体的には４０度以下とすることが好ましい。一方、角度θを少なくし過ぎると、反射面５ａで反射された光の羽根３の下面への入射角が浅くなり、ここで反射されてしまい羽根３の下面から外部へ導出される光量が少なくなってしまう。このため角度θは３０度以上とすることが好ましい。以上の理由により、角度θは、３０〜４０度の範囲とすることが好ましい。
【００２５】
前記した図５（ａ），（ｂ）の測定結果は、羽根３の寸法が１００ｍｍ×４００ｍｍ×５ｍｍ、羽根１枚あたりの凹部５の数が１０、羽根１枚あたりの発光ダイオード４の灯数が１８（４枚で合計７２）、ピッチが２０ｍｍ、１灯あたりの発光ダイオード４の光束が１０ｌｍの照明装置１のものであり、照明装置１の２．５ｍ下方の３ｍ×３ｍのエリアで測定を行った。なお、凹部５の数は、上記の１０に限られるものではないが、この凹部５の数をある程度多くすることにより、光を分散させて輝度を均一化できる。また、発光ダイオード４については、その数、ピッチ等を調整することにより、所望の照度を得られるとともに、輝度を均一化することができる。
【００２６】
なお、上記構成の実施形態では、羽根３内に導入された光のうち、反射面５ａ等から羽根３の上側に透過してしまう光もある。このため、羽根３の上面を覆うように反射板等を設ければ、羽根３の上側に透過した光を下側に反射させて照明光として利用することができる。一方、このような反射板等を設けない場合は、反射面５ａ等から羽根３の上側に透過した光は天井面等を照らすので、間接照明光として利用することも可能である。
【００２７】
また、羽根３の回転方向に対して、発光ダイオード４を回転方向前側に設置すると、発光ダイオード４の空気による冷却がより効率的に行われ、温度上昇による発光ダイオード４の不具合の発生を防止することができる。このため、発光ダイオード４を羽根３の回転方向に対して、回転方向前側に設置することが好ましい。
【００２８】
以上のように、本実施形態の照明装置１によれば、回転する羽根３から室内照明のための光を供給することにより、照明機能と扇風機機能を一体化して、従来に比べてインテリア的要素を高めることができる。これとともに、中抜け現象や発光面が回転することによるちらつき現象の発生を抑制して、室内を照らす照明としての照明機能の優れた照明装置１を提供することができる。
【図面の簡単な説明】
【００２９】
【図１】本発明の一実施形態に係る照明装置の構成を示す斜視図。
【図２】図１の照明装置の羽根の構成を示す上面図。
【図３】図１の照明装置の羽根の構成を示す断面図。
【図４】図３の羽根の要部を拡大して示す断面図。
【図５】照度分布の測定結果を示す写真。
【符号の説明】
【００３０】
１……照明装置、２……筐体、３……羽根、４……発光ダイオード、５……凹部、５ａ……反射面。
【図１】
2007141734.tif 000003
【図２】
2007141734.tif 000004
【図３】
2007141734.tif 000005
【図４】
2007141734.tif 000006
【図５】
2007141734.tif 000007